(57)【要約】      （修正有）【課題】性交中における性的興奮や快感を高めると共に、人体の陰茎の勃起力と勃起状態の持続性を高めるコンドームを提供する。【解決手段】亀頭被装部２と陰茎被装部３を連成し、下端部に人体の亀頭及び陰茎Ｐを挿入する開口部４を有する、精液溜袋部のないコンドーム１である。亀頭被装部２と陰茎被装部３における根元部３Ａにかけての部分Ｌ１の直径を、人体の亀頭及び陰茎Ｐの直径よりも僅かに大径として、人体の亀頭及び陰茎Ｐとコンドーム１の内面との間に僅かな隙間Ｓができるようにする。陰茎被装部３における根元部３Ａを長さ方向の所定範囲Ｌ２にわたって人体の陰茎よりも小径として、この部分で人体の陰茎を適度に緊締することができるようにする。【選択図】図２
0003194759.tif 000002
【実用新案登録請求の範囲】
【請求項１】
上部の亀頭被装部と下部の陰茎被装部を連成し、下端部に人体の陰茎を挿入する開口部を有する、精液溜袋部のないコンドームにおいて、亀頭被装部と陰茎被装部における根元部にかけての部分の直径を、人体の亀頭及び陰茎の直径よりも僅かに大径として、人体の亀頭及び陰茎とコンドームの内面との間に僅かな隙間ができるようになすと共に、陰茎被装部における根元部を長さ方向の所定範囲にわたって人体の陰茎よりも小径として、この部分で人体の陰茎を適度に緊締することができるようになし、更に、亀頭被装部の上端部に、その一部を内側から殺精子剤を混入した適度の流動性を有する潤滑ゼリーを所定量注入して袋状に膨らませて潤滑ゼリー貯留部を形成し、該潤滑ゼリー貯留部の注入口部分を、容易に解除することができる封止ゴムバンドをもって封止してなることを特徴とするコンドーム。
【請求項２】
陰茎被装部における根元部の人体の陰茎よりも小径とする部分を、他の部分に比して厚みを増してなる請求項１記載のコンドーム。
【請求項３】
封止ゴムバンドが、リング状の本体部における円周方向の適所に、径方向に沿った、適度の力で容易に破断することができる破断部を形成すると共に、リング状の本体部における該破断部の位置に摘み部を設けてなる封止ゴムバンドである請求項１又は２記載のコンドーム。
【請求項４】
封止ゴムバンドが、ロープ状の本体部の一端側に球状部を形成する一方、ロープ状の本体部の他端側に摘み部を有するリング状部を形成し、前記球状部を前記リング状部に潜らせて係合させる封止ゴムバンドである請求項１又は２記載のコンドーム。
【考案の詳細な説明】
【技術分野】
【０００１】  本考案はコンドームに関するものである。
【背景技術】
【０００２】  コンドームは避妊と感染症からの防御を目的として使用されるものであり、そして男性の亀頭及び陰茎と女性の膣の夫々の粘膜や皮膚を性交時における強い摩擦による損傷から保護するために、その外面には潤滑ゼリーが塗布されている。【０００３】  しかし、コンドームの外面に塗布される潤滑ゼリーは、上記の如く男性の亀頭及び陰茎と女性の膣の夫々の粘膜や皮膚を強い摩擦による損傷から保護するために塗布されるものであり、従来のコンドームでは潤滑ゼリーを用いた使用者、とりわけ男性に性交中における性的興奮や快感を充分に与えるようにするための工夫は殆どなされていない。【０００４】  即ち、従来のコンドームは、一般的にその外面には上記の目的で潤滑ゼリーが塗布されているものの、その内面には潤滑ゼリーが塗布されていない。このため男性の亀頭及び陰茎表面とコンドームの内面とが密着し、それらの間において殆ど滑りが生じないか、滑りを生ずることがあってもごく僅かでしかなく、もって亀頭及び陰茎への他のものとの滑り接触による物理的刺激が少なく、性交中における性的興奮や快感を充分に与えられないのである。【０００５】  そしてこのため、コンドームは性交の最中は装着したままが原則であるにもかかわらず、これが守られなかったり、最初から装着しないといったことがおこり、このような場合には避妊と感染症からの防御という目的を達成できないことになる。
【考案の概要】
【考案が解決しようとする課題】
【０００６】  本考案は上記の点に鑑みなされたものであって、亀頭被装部と陰茎被装部における根元部にかけての部分の直径を、人体の亀頭及び陰茎の直径より僅かに大径として、人体の亀頭及び陰茎とコンドームの内面との間に僅かな隙間ができるようになすと共に、亀頭被装部の上端部に、装着時まで潤滑ゼリーを貯留する潤滑ゼリー貯留部を形成し、装着するときにおいて該潤滑ゼリー貯留部の注入口部分の封止を解除すると、該潤滑ゼリー貯留部内の潤滑ゼリーが、充分な量、前記人体の亀頭及び陰茎とコンドームの内面との間の隙間に流入し、人体の亀頭と陰茎の根元部にかけての広い範囲の部分が、性交中においてコンドームの内面と、またコンドームを介して女性の膣の内壁との間において大きく且つ滑らかに滑り易くなり、もってこれらの部分に滑り接触による大きな物理的刺激を与えることにより、使用者、とりわけ男性に性交中における性的興奮や快感を充分に与えることができると共に、陰茎被装部における根元部を長さ方向の所定範囲にわたって人体の陰茎よりも小径として、この絞られた帯状の広い部分で人体の陰茎を適度に緊締することにより、潤滑ゼリーの漏出を確実に防止し、且つ人体の陰茎の勃起力を高めると共に勃起状態の持続性を高めることができるようになしたコンドームを提供しようとするものである。
【課題を解決するための手段】
【０００７】  而して、本考案の要旨とするところは、上部の亀頭被装部と下部の陰茎被装部を連成し、下端部に人体の陰茎を挿入する開口部を有する、精液溜袋部のないコンドームにおいて、亀頭被装部と陰茎被装部における根元部にかけての部分の直径を、人体の亀頭及び陰茎の直径よりも僅かに大径として、人体の亀頭及び陰茎とコンドームの内面との間に僅かな隙間ができるようになすと共に、陰茎被装部における根元部を長さ方向の所定範囲にわたって人体の陰茎よりも小径として、この部分で人体の陰茎を適度に緊締することができるようになし、更に、亀頭被装部の上端部に、その一部を内側から殺精子剤を混入した適度の流動性を有する潤滑ゼリーを所定量注入して袋状に膨らませて潤滑ゼリー貯留部を形成し、該潤滑ゼリー貯留部の注入口部分を、容易に解除することができる封止ゴムバンドをもって封止してなることを特徴とするコンドームにある。【０００８】  また、上記構成において、陰茎被装部における根元部の人体の陰茎よりも小径とする部分を、他の部分に比して厚みを増すようになしてもよい。【０００９】  また、上記構成において、封止ゴムバンドを、リング状の本体部における円周方向の適所に、径方向に沿った、適度の力で容易に破断することができる破断部を形成すると共に、リング状の本体部における該破断部の位置に摘み部を設けてなる封止ゴムバンドとしてもよい。【００１０】  また、上記構成において、封止ゴムバンドを、ロープ状の本体部の一端側に球状部を形成する一方、ロープ状の本体部の他端側に摘み部を有するリング状部を形成し、前記球状部を前記リング状部に潜らせて係合させる封止ゴムバンドとしてもよい。
【考案の効果】
【００１１】  本考案は上記の如き構成であり、亀頭被装部と陰茎被装部における根元部にかけての部分の直径を、人体の亀頭及び陰茎の直径よりも僅かに大径として、人体の亀頭及び陰茎とコンドームの内面との間に僅かな隙間ができるようになすと共に、亀頭被装部の上端部に、装着時まで潤滑ゼリーを貯留する潤滑ゼリー貯留部を形成したものである。したがって、装着するときにおいて該潤滑ゼリー貯留部の注入口部分の封止を解除すると、該潤滑ゼリー貯留部内の潤滑ゼリーが、充分な量、前記人体の亀頭及び陰茎とコンドームの内面との間の隙間に流入し、人体の亀頭と陰茎の根元部にかけての広い範囲の部分が、性交中においてコンドームの内面と、またコンドームを介して女性の膣の内壁との間において大きく且つ滑らかに滑り易くなり、もってこれらの部分に滑り接触による大きな物理的刺激を与えることにより、使用者、とりわけ男性に性交中における性的興奮や快感を充分に与えることができるものである。また、陰茎被装部における根元部を長さ方向の所定範囲にわたって人体の陰茎よりも小径として、この絞られた帯状の広い部分で人体の陰茎を適度に緊締するようにしたものである。そしてこれにより、潤滑ゼリーの漏出を確実に防止し、且つ人体の陰茎の勃起力を高めると共に勃起状態の持続性を高めることができるものである。【００１２】  また、上記の如く亀頭被装部の上端部に、潤滑ゼリー貯留部を形成し、該潤滑ゼリー貯留部内に潤滑ゼリーを貯留したことにより、人体の亀頭及び陰茎とコンドームの内面との間の隙間の全体に充分に行き渡らせることができるだけの量を確保することができると共に、適度の流動性を有する潤滑ゼリーを用いることができるものである。尚、従来のコンドームにおいて、コンドームの亀頭被装部の内面に潤滑ゼリーを塗布したものも提供されているが、単に塗布しただけであるから、量も少なく且つ流動性もない。したがって、充分な潤滑作用を行わせることはできない。また、人体の亀頭のみの滑りでは大きな物理的刺激を与えることはできず、本考案による場合の如く、亀頭と陰茎の両者が全体的に大きく且つ滑らかに滑ることによってのみ充分な性的興奮や快感を与えることができるものである。【００１３】  また、女性の膣内が潤っていないと、膣の内壁と男性の亀頭及び陰茎との擦れによって性交痛を生ずることがあるが、本考案によれば、性交中は女性の膣の内壁と男性の亀頭及び陰茎との間にはコンドームが介在し、また、男性の亀頭及び陰茎はコンドーム内で動いているが、潤滑ゼリーが存在するためにこの動きによってコンドームが動くことはなく、即ち膣の内壁に接触しているコンドームは殆ど膣の内外方向に動くことはないから、膣の内壁と男性の亀頭及び陰茎との直接的な擦れによる性交痛が生ずることはない。且つまた、膣内の潤いが少ない閉経後の女性等にあっても、コンドームを介して男性の亀頭及び陰茎の大きな動きは伝わるから、性交痛への不安が解消されることに加えて、男性と同様の充分な性的興奮や快感を得ることができるものである。
【図面の簡単な説明】
【００１４】
【図１】本考案の実施形態に係るコンドームの人体の亀頭及び陰茎を省略して示した使用状態の斜視図である。
【図２】同使用状態の中央縦断面図である。
【図３】同装着前の状態の一部切欠して示した斜視図である。
【図４】同装着時の使用方法を説明する斜視図である。
【図５】図４に示した状態の中央縦断面図である。
【図６】封止ゴムバンドの斜視図である。
【図７】図６に示した封止ゴムバンドの平面図である。
【図８】封止ゴムバンドの他の例の封止前の状態における斜視図である。
【図９】図８に示した封止ゴムバンドの封止状態における平面図である。
【考案を実施するための形態】
【００１５】    以下、本考案を実施するための形態について、図面を参照して説明する。
【００１６】  図中１はコンドームであり、上部の亀頭被装部２と下部の陰茎被装部３を連成し、下端部に人体の陰茎Ｐを挿入する開口部４を有するものである。また、該コンドーム１は亀頭被装部２に精液溜袋部のないコンドームである。
【００１７】  而して、本実施形態において特徴とするところは、亀頭被装部２と陰茎被装部３における根元部３Ａにかけての部分Ｌ１の直径を、人体の亀頭及び陰茎Ｐの直径よりも僅かに大径として、人体の亀頭及び陰茎Ｐとコンドーム１の内面との間に僅かな隙間Ｓができるようになすと共に、陰茎被装部３における根元部３Ａを長さ方向の所定範囲Ｌ２にわたって人体の陰茎よりも小径として、この部分で人体の陰茎を適度に緊締することができるようになし、更に、亀頭被装部２の上端部に、その一部を内側から殺精子剤を混入した適度の流動性を有する潤滑ゼリー５を所定量注入して袋状に膨らませて潤滑ゼリー貯留部２Ａを形成し、該潤滑ゼリー貯留部２Ａの注入口部分を、容易に解除することができる封止ゴムバンド６をもって封止してなることにある。
【００１８】  また、前記封止ゴムバンド６は、図６及び図７に示す如く、リング状の本体部６ａにおける円周方向の適所に、径方向に沿った、適度の力で容易に破断することができる破断部６ｂを形成すると共に、リング状の本体部６ａにおける該破断部６ｂの位置に摘み部６ｃを設けてなるものである。尚、前記破断部６ｂは、例えば、切断して、その切断面に、僅かな力で引っ張れば容易に離れる適度の接着力を有する接着剤を塗布して接着するようにしたり、或いは切断することなく、薄肉にして引きちぎり易くしてもよい。そして、該封止ゴムバンド６は、摘み部６ｃを摘んで引っ張ると破断部６ｂにおいて分離し、封止が解除されるものである。
【００１９】  また、前記封止ゴムバンド６に代えて図８及び図９に示した封止ゴムバンド７を用いるようにしてもよい。また、該封止ゴムバンド７は、ロープ状の本体部７ａの一端側に球状部７ｂを形成する一方、ロープ状の本体部７ａの他端側に摘み部７ｃを有するリング状部７ｄを形成し、前記球状部７ｂを前記リング状７ｄ部に潜らせて係合させるものである。そして、該封止ゴムバンド７は、図９に示した状態において摘み部７ｃを摘んで引っ張るとリング状部７ｄが拡径して球状部７ｂが外れ、もって係合が解除されることにより封止も解除されるものである。
【００２０】  また、図示はしないが、前記陰茎被装部３における根元部３Ａの人体の陰茎よりも小径とする部分Ｌ２を、他の部分に比して厚みを増すようにしてもよい。これにより緊締力が増し、前記諸効果が増大する。
【００２１】  次に、上記実施形態の作用について説明する。
コンドーム１を装着するときには、先ず、図３に示す状態のコンドーム１を人体の亀頭部にあてがい、次に図４及び図５に示す如く、コンドーム１を巻き解いて亀頭被装部２を人体の亀頭の全体に被せると共に、陰茎被装部３の一部を人体の陰茎の上部に被せる。そして、この状態において、次に封止ゴムバンド６の摘み部６ｃを摘んで引っ張り、破断部６ｂを破断させて該封止ゴムバンド６による封止を解除する。そして、更にコンドーム１を巻き解いて陰茎被装部３の全体を人体の陰茎に被せる。これにより、潤滑ゼリー貯留部２Ａ内の潤滑ゼリー５は、流動して人体の亀頭及び陰茎Ｐとコンドーム１の内面との間の隙間Ｓに流入する。また、陰茎被装部３における根元部３Ａの人体の陰茎よりも小径とした帯状の部分Ｌ２によって潤滑ゼリー５の漏出が確実に防止され、且つこの部分Ｌ２の適度の緊締力により人体の陰茎の勃起力を高めると共に勃起状態の持続性を高めることができるものである。
【００２２】  また、潤滑ゼリー貯留部２Ａへの潤滑ゼリー５の注入は、図示はしないが、例えば次の如くにして行う。シリンジの先端をコンドーム１における亀頭被装部２の上端部に押し当てた状態において、封止ゴムバンド６をその上部側から被せて外嵌し、次にこの状態でシリンジから潤滑ゼリー５を注入して袋状に膨らませ、所定量の注入が完了したらシリンジを引き抜くものである。そして、このシリンジを引き抜いたときには封止ゴムバンド６はその復元弾性力によって元の径に縮径し、潤滑ゼリー貯留部２Ａの注入口部分を封止するものである。
【符号の説明】
【００２３】１  コンドーム
２  亀頭被装部
３  陰茎被装部
３Ａ  陰茎被装部の根元部
４  開口部
５  潤滑ゼリー
６  封止ゴムバンド
７  封止ゴムバンド
【図１】
0003194759.tif 000003
【図２】
0003194759.tif 000004
【図３】
0003194759.tif 000005
【図４】
0003194759.tif 000006
【図５】
0003194759.tif 000007
【図６】
0003194759.tif 000008
【図７】
0003194759.tif 000009
【図８】
0003194759.tif 000010
【図９】
0003194759.tif 000011